(57)【要約】      （修正有）【課題】側面側からも植物がよく見えた開放感のある印象景観を実現し、植生棚全体の立体感、躍動感を弱めることなく、側面からの植生材の流出が生じない植生棚用支柱を提供する。【解決手段】支柱本体３と、この支柱本体３の左右両側に形成された、棚板の下方側である嵌り部が嵌る箇所である、前面と側面が開放形態である棚板差し込み部４と、この棚板差し込み部４に嵌った前記棚板の支柱本体３の前方に突出した部位の下面を載せ受ける、支柱本体３の前面から前方に突出設けた、上面と側面が開放形態である棚板載り部７と、この棚板載り部７と支柱本体３の前面との間に設けた、前記棚板差し込み部４に嵌った前記棚板の支柱本体３の前方に突出した部位と支柱本体３の前面の間の開放面を塞ぐための側面塞ぎ壁８とから構成されている。【選択図】図１
2012090559.tif 000002
【特許請求の範囲】
【請求項１】
植生材を受ける棚を形成する棚板を複数支持して棚段を形成する、側面が塞がれた形態の支柱本体と、
この支柱本体の内側に形成された、前記棚板の下方側が嵌る箇所である、前面と側面が開放形態である棚板差し込み部と、
この棚板差し込み部に嵌った前記棚板の前記支柱本体の前方に突出した部位の下面を載せ受ける、前記支柱本体の前面から前方に突出設けた、上面と側面が開放形態である棚板載り部と、
この棚板載り部と前記支柱本体の前面との間に設けた、前記棚板差し込み部に嵌った前記棚板の前記支柱本体の前方に突出した部位と該支柱本体の前面の間の開放面を塞ぐための側面塞ぎ壁と、
前記棚板差し込み部、前記棚板載り部、前記側面塞ぎ壁とからなる棚板支持部とからなるとともに、
前記棚板による棚段を形成できるように、前記棚板支持部が複数段設けられてなることを特徴とする植生棚用支柱。
【請求項２】
棚板差し込み部に嵌る嵌り部、この嵌り部から湾曲形態で延長形成された湾曲部とからなる棚板を支持するために、棚板載り部が湾曲形態の湾曲棚板載り部であることを特徴とする請求項１に記載の植生棚用支柱。
【請求項３】
棚板支持部が支柱本体の左右に設けられてなることを特徴とする請求項１、２のいずれか1項に記載の植生棚用支柱。
【請求項４】
請求項１〜３のいずれか1項に記載の植生棚用支柱からなる、一対の植生棚用支柱と、
この植生棚用支柱に支持されて植生材を受ける棚を形成する複数の棚板とからなることを特徴とする植生棚。
【発明の詳細な説明】
【技術分野】
【０００１】
本発明は、植生棚用支柱および植生棚に関する。
【背景技術】
【０００２】
（１）従来、左右の支柱にそれぞれに、棚を形成する長平板形態の棚板（特許文献1では「植生材支持板２」）の側部の略全部を挿入するための、支柱の前面を開口とした直線下り傾斜溝からなる棚板差し込み部（特許文献1では「支持板傾斜支持部５」）、上下に適宜な間隔をあけて設けられてなる、植生棚用支柱および植生棚が知られている。（例えば、特許文献１の図１〜図１１に示されている植生棚）
（２）また、棚板を、棚板差し込み部（特許文献1では「支持板傾斜支持部５」）に嵌る嵌り部（引用文献１では、「支持部嵌り部位６０」と、該嵌り部と一体的に成形されてなる支柱の外側に位置される湾曲形態の湾曲板部位６１からなる棚板（特許文献１では「植生材支持板（仕切り板）６２」）とした植生棚が知られている。（例えば、特許文献１の図２３に示されている植生棚）
【先行技術文献】
【特許文献】
【０００３】
【特許文献１】特開２００９−２５４３４７号公報（図１〜図１１、図２３）
【非特許文献】
【０００４】
【非特許文献１】特になし
【発明の概要】
【発明が解決しようとする課題】
【０００５】
＜特許文献１の図１〜図１１の技術＞
上述した従来技術のうちの（１）のものは、長平板形態の棚板の側部の略全部が棚板差し込み部に差し込まれることによって、棚板の側面はその全部が支柱によって塞がれ形態を実現するので、投入した土などの植生材が側面からこぼれないものであるが、支柱の側面幅（前後幅）が広くなってしまい、結果、植生棚の側面が前後幅広の支柱によって全面が覆われ、側面側からは植物が見えない閉鎖的で開放感のない印象景観となり、植生棚全体の景観印象が平面的な印象となり、立体感、躍動感の弱い変化の弱いものになってしまうという欠点を有するものであった。
また、支柱を木材以外の、プラスチック、金属、セメント類などによって形成する場合には、材料の増大、重量の増大、コストの増大になるという欠点を有するものであった。
＜特許文献１の図２３の技術＞
棚板差し込み部には支持部嵌り部位６０のみが差し込まれ、湾曲板部位６１は支柱の前方に突出した形態となり、結果、湾曲板部位６１の側面は開放された形態となって、投入した植生材がその側面開放部位からこぼれ出てしまう、雨水や水やりで流出してしまうと欠点を有するものであった。
【０００６】
本発明は以上のような従来技術の欠点に鑑み、側面側からも植物がよく見えた開放感のある印象景観を実現し、植生棚全体の立体感、躍動感を弱めることなく、側面からの植生材の流出が生じない植生棚用支柱および植生棚を提供することを目的としている。
【課題を解決するための手段】
【０００７】
上記目的を達成するために、本発明は次のような構成している。
＜請求項１記載の発明＞
植生材を受ける棚を形成する棚板を複数支持して棚段を形成する、側面が塞がれた形態の支柱本体と、
この支柱本体の内側に形成された、前記棚板の下方側が嵌る箇所である、前面と側面が開放形態である棚板差し込み部と、
この棚板差し込み部に嵌った前記棚板の前記支柱本体の前方に突出した部位の下面を載せ受ける、前記支柱本体の前面から前方に突出設けた、上面と側面が開放形態である棚板載り部と、
この棚板載り部と前記支柱本体の前面との間に設けた、前記棚板差し込み部に嵌った前記棚板の前記支柱本体の前方に突出した部位と該支柱本体の前面の間の開放面を塞ぐための側面塞ぎ壁と、
前記棚板差し込み部、前記棚板載り部、前記側面塞ぎ壁とからなる棚板支持部とからなるとともに、
前記棚板による棚段を形成できるように、前記棚板支持部が複数段設けられてなることを特徴とする植生棚用支柱である。
＜請求項２記載の発明＞
棚板差し込み部に嵌る嵌り部、この嵌り部から湾曲形態で延長形成された湾曲部とからなる棚板を支持するために、棚板載り部が湾曲形態の湾曲棚板載り部であることを特徴とする請求項１に記載の植生棚用支柱である。
＜請求項３記載の発明＞
棚板支持部が支柱本体の左右に設けられてなることを特徴とする請求項１、２のいずれか1項に記載の植生棚用支柱である。
＜請求項４記載の発明＞
請求項１〜３のいずれか1項に記載の植生棚用支柱からなる、一対の植生棚用支柱と、
この植生棚用支柱に支持されて植生材を受ける棚を形成する複数の棚板とからなることを特徴とする植生棚である。
【発明の効果】
【０００８】
以上の説明から明らかなように、本発明にあっては次に列挙する効果が得られる。
＜請求項１記載の発明の効果＞
植生材を受ける棚を形成する棚板を複数支持して棚段を形成する、側面が塞がれた形態の支柱本体と、
この支柱本体の内側に形成された、前記棚板の下方側が嵌る箇所である、前面と側面が開放形態である棚板差し込み部と、
この棚板差し込み部に嵌った前記棚板の前記支柱本体の前方に突出した部位の下面を載せ受ける、前記支柱本体の前面から前方に突出設けた、上面と側面が開放形態である棚板載り部と、
この棚板載り部と前記支柱本体の前面との間に設けた、前記棚板差し込み部に嵌った前記棚板の前記支柱本体の前方に突出した部位と該支柱本体の前面の間の開放面を塞ぐための側面塞ぎ壁と、
前記棚板差し込み部、前記棚板載り部、前記側面塞ぎ壁とからなる棚板支持部とからなるとともに、
前記棚板による棚段を形成できるように、前記棚板支持部が複数段設けられてなることを特徴とする植生棚用支柱であるので次のような効果を奏する。
すなわち、
一対の支柱本体の前側に突出するようにセットされた棚板の、該支柱本体の前面（正面）から前方（正面に立って見ている者から見た方向）に突出した部分の側面開放部位は、支柱本体の前方に突出した側面塞ぎ壁によって塞がれた態様となるので、側面からの植生材の流出が生じない植生棚用支柱を実現するとともに、支柱本体から前方に突出した景観の棚によって、植生棚全体の立体感、躍動感を弱めることがなく、側面側からも植物がよく見えた開放感のある印象景観を実現ずるという効果を奏する。
また、棚板の両端側が棚板載り部に載り支持されるので、棚板の支持強度が強化され、植生材の重量による変形曲がりが起こりがたい植生棚を形成するという効果を奏する。
＜請求項２記載の発明の効果＞
棚板差し込み部に嵌る嵌り部、この嵌り部から湾曲形態で延長形成された湾曲部とからなる棚板を支持するために、棚板載り部が湾曲形態の湾曲棚板載り部である請求項１に記載の植生棚用支柱であるので、請求項１に記載の発明と同様な効果を奏するとともに次のような効果を奏する。
すなわち、
図５に示すように、棚板の嵌り部を棚板差し込み部に差し込まず、該嵌り部を上にし、湾曲部を下にして、該湾曲部を湾曲棚板載り部に載せた態様でセットすることができ、これによって、異なる景観と仕様の植生棚を形成できるという効果を奏する。
また、長平板形態の棚板を使用することも可能であるという効果を奏する。
＜請求項３記載の発明の効果＞
棚板支持部が支柱本体の左右に設けられてなることを特徴とする請求項１、２のいずれか1項に記載の植生棚用支柱であるので、請求項１、２のいずれか1項に記載の発明と同様な効果を奏するとともに次のような効果を奏する。
すなわち、
植生棚を横に並べた形態とする場合に経済的であるという効果を奏する。特に、壁面に植生棚用支柱を固定した壁面緑化植生棚の形成に適している。
＜請求項４記載の発明の効果＞
請求項１〜３のいずれか1項に記載の植生棚用支柱からなる、一対の植生棚用支柱と、この植生棚用支柱に支持されて植生材を受ける棚を形成する複数の棚板とからなることを特徴とする植生棚であるので、請求項１〜３のいずれか1項に記載の発明と同様な効果を奏する。
【図面の簡単な説明】
【０００９】
【図１】本発明の実施例１を示す植生棚用支柱の正面左側斜めから斜視した斜視図および正面右側斜めから斜視した斜視図。
【図２】本発明の実施例１の植生棚の組立分解斜視図。
【図３】本発明の実施例１の植生棚の組立斜視図。
【図４】本発明の実施例１の植物が生えた状態の斜視図。
【図５】本発明の実施例１の棚板を逆さにセットした状態の組立斜視図。
【図６】本発明の実施例２の植生棚用支柱の斜視図。
【図７】本発明の実施例３を示す植生棚用支柱の正面左側斜めから斜視した斜視図および正面右側斜めから斜視した斜視図。
【図８】本発明の実施例４の植生棚用支柱の正面右側斜めから斜視した斜視図および背面パネルの部分斜視図。
【図９】本発明の実施例４の植生棚用支柱の正面右側斜めから斜視した斜視図。
【図１０】本発明の実施例５を示す植生棚用支柱の正面左側斜めから斜視した斜視図および正面右側斜めから斜視した斜視図。
【発明を実施するための形態】
【００１０】
以下、本発明を実施するための最良の形態である本発明の実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００１１】
図１ないし図５に示す本発明の実施例において植生棚用支柱１（１ａ、１ｂ）は、植生材（図示せず省略）を受ける棚を形成する、嵌り部５、この嵌り部５から湾曲形態で延長形成された湾曲部６とからなる棚板２（２ａ〜２ｄ）を複数支持して棚段を形成する、側面が塞がれた後方に傾斜形態の支柱本体３と、
この支柱本体３の左右両側に形成された、棚板２の下方側である嵌り部５が嵌る箇所である、前面と側面が開放形態である棚板差し込み部４と、
この棚板差し込み部４に嵌った前記棚板２の前記支柱本体３の前方に突出した部位の下面を載せ受ける、前記支柱本体３の前面から前方に突出設けた、上面と側面が開放形態である棚板載り部７と、
この棚板載り部７と前記支柱本体３の前面との間に設けた、前記棚板差し込み部４に嵌った前記棚板２の前記支柱本体３の前方に突出した部位と該支柱本体３の前面の間の開放面を塞ぐための側面塞ぎ壁８と、
棚板差し込み部４、棚板載り部７、側面塞ぎ壁８とからなる棚板支持部９と
立てた支柱本体３を倒れないように安定させるためにベース部１０と、背面をふさいで植生材を背面で支持する背面パネル１１の縁方を載せ支持する背面パネル支持部１２と、底面をふさいで植生材を底面で支持する底面パネル１３の縁方を載せ支持する底面パネル支持部１４とからなるとともに、
前記棚板２による４段の棚段を形成できるように、前記棚板支持部９が複数段（ここでは４段）設けられた構成となっている。
【００１２】
棚板差し込み部４、棚板載り部７は左右にそれぞれ設けられているが、側面塞ぎ壁８は棚板載り部７の中央に共通壁として位置して１つであり、側面塞ぎ壁８の左右の側面（左右壁面）が塞ぎ壁面として機能している。
支柱本体３、棚板支持部９、ベース部１０、背面パネル支持部１２および底面パネル支持部１４は合成樹脂製部材で金型により一体成形により形成されている。
支柱本体３は、一枚の左右を仕切る仕切り壁１６と、その周囲を囲う平板形態の外周補強リブを兼ねた囲いリブ１７と、内側に形成された多数の内リブ（背面パネル支持部１２、底面パネル支持部１４、棚板差し込み部４を形成する部位およびその延長部位など）によっている。
また、支柱本体３の後部側には囲いリブ１７と背面パネル支持部１２との間に嵌め込み溝１８が形成され、この嵌め込み溝１８には背面パネル１１の側縁方を嵌め込むことができるようなっている。
【００１３】
背面パネル１１は図８に示す、枠体２０に耐水性、耐食性、通水性の不織布シート２１を貼ったものである。また、土嚢袋を形成しているシートでもよい。軽量で安価なものにできる。
底面パネル１３も同様な構成としている。
【００１４】
＜組立＞
植生棚用支柱１ａ、１ｂと、背面パネル１１と、底面パネル１３と、棚板２ａ〜２ｄとで、プランター形態の植生棚２２を形成している。
組立は、植生棚用支柱１ａに背面パネル１１、底面パネル１３の一方縁方を、ビスおよび接着剤（粘着剤を含む）あるいはいずれかによって固定し、背面パネル１１、底面パネル１３の他方縁方を植生棚用支柱１ｂに固定して、植生棚用支柱１ａ、１ｂを連結状態にし、棚板２ａ〜２ｄを各棚板載り部７にビス止め、接着になどによって固定する。
植生材を投入し、種をまく、植物を植え付けるなどを行う。
【実施例２】
【００１５】
図６に示す本発明の実施例２において前記実施例１と主に異なる点は、側面塞ぎ壁を、嵌り部５を上にして湾曲部６を下にした状態（逆さにした状態）で棚板２を棚板支持部９にセットしても、棚板２の支柱本体３の前方に突出した部位と該支柱本体３の前面の間の開放面の全部を塞ぐ形態（上部が棚板載り部７の上部面より上方に突出）の側面塞ぎ壁２５とし、棚板載り部７、背面パネル支持部１２にビス（図示せず省略）を通すビス通し孔２６を設けてなる植生棚用支柱２７を形成した点にある。
背面パネル１１の両縁方を嵌め込み溝１８に嵌め込み、ビス通し孔２６にビス（図示せず省略）を揉み込み固定することができる。
【実施例３】
【００１６】
図７に示す本発明の実施例３において前記実施例１と主に異なる点は、外側側面に棚板差し込み部、棚板載り部を設けない外側側面を平面形態とし、棚板差し込み部４、棚板載り部２９を内側にのみ設けた構成とし、棚板差し込み部４、棚板載り部２９、側面塞ぎ壁３０とで棚板支持部３１を形成した植生棚用支柱３２を形成した点にある。
植生棚用支柱３２は、該植生棚用支柱３２と対称構造の別体の植生棚用支柱（図示せず省略）と一対で植生棚を形成する。
【実施例４】
【００１７】
図８、９に示す本発明の実施例４において前記実施例１と主に異なる点は、支柱本体を垂直な支柱本体３５とした植生棚用支柱３６を形成した点にある。
支柱本体３５の後方側には、壁面に埋め込んだアンカーボルトを通すためのボルト通し孔３７が設けられている。
棚板差し込み部４の上部壁にはビス通し孔３８が設けられ、棚板２の嵌り部５をビス止めできるようになっている。
背面パネル１１にもボルト通し孔３９が設けられている。
【実施例５】
【００１８】
図１０に示す本発明の実施例５において前記実施例４と主に異なる点は、棚板載り部の形態を、長平板形態の棚板４１に合わせた真っ直ぐな棚載り部４２とした植生棚用支柱４３を形成した点にある。
【産業上の利用可能性】
【００１９】
本発明は、植生棚を製造する産業で利用される。
【符号の説明】
【００２０】
１、１ａ、１ｂ：、植生棚用支柱
２、２ａ〜２ｄ：棚板、
３：支柱本体、
４：棚板差し込み部、
５：嵌り部、
６：湾曲部、
７：棚板載り部、
８：側面塞ぎ壁、
９：棚板支持部、
１０：ベース部、
１１：背面パネル、
１２：背面パネル支持部、
１３：底面パネル、
１４：底面パネル支持部、
１６：仕切り壁、
１７：囲いリブ、
１８：嵌め込み溝、
２０：枠体、
２１：不織布シート、
２２：植生棚、
２５：側面塞ぎ壁、
２６：ビス通し孔、
２７：植生棚用支柱、
２９：棚板載り部、
３０：側面塞ぎ壁、
３１：棚板支持部、
３２：植生棚用支柱、
３５：支柱本体、
３６：植生棚用支柱、
３７：ボルト通し孔、
３８：ビス通し孔、
３９：ボルト通し孔、
４１：棚板、
４２：棚載り部、
４３：植生棚用支柱。
【図１】
2012090559.tif 000003
【図２】
2012090559.tif 000004
【図３】
2012090559.tif 000005
【図４】
2012090559.tif 000006
【図５】
2012090559.tif 000007
【図６】
2012090559.tif 000008
【図７】
2012090559.tif 000009
【図８】
2012090559.tif 000010
【図９】
2012090559.tif 000011
【図１０】
2012090559.tif 000012